(57)【特許請求の範囲】
【請求項１】
表面に突出して電極を配設した便座において、裏面の略中央部に突出した係止部を有する電極と、前記係止部と勘合する勘合部材と、少なくとも前記係止部もしくは前記勘合部材が挿通可能な貫通孔を有する便座と、前記便座を介して前記電極と相対する面に設けた押さえ部材とからなり、前記電極は前記便座との当接面の中央部に凹部を設けて電極の外周縁部と便座表面が密接可能な構成とし、前記係止部と勘合部材により、前記電極と樹脂成形部材と押さえ部材とを積層して固定した電極付き便座。
【請求項２】
係止部は雄ネジもしくは雌ネジであり、勘合部材はナットもしくはネジであることを特徴とする請求項１に記載の電極付き便座。
【請求項３】
電極は、樹脂成形部材表面との当接面に凹部を設けた構成としてなる請求項１または２に記載の電極付き便座。
【請求項４】
電極は、金属プレス成形品である請求項３に記載の電極付き便座。
【請求項５】
電極と樹脂成形部材の表面との間に弾性を有するクッション材を配した請求項１〜４のいずれか１項に記載の電極付き便座。
【発明の詳細な説明】
【０００１】
【発明の属する技術分野】
本発明は臀部の人体皮膚接触を利用した体脂肪率測定装置などに用いる電極付き便座に関するものである。
【０００２】
【従来の技術】
従来の電極付き便座として図５に示したようなものがある。この構成は図６に示しているように樹脂成形部材１０の表面に、平面部１２を有する凹部１１を予め設けておき、電極である金属箔平板１３を両面テープ１４で平面部１２に接着して、凹部１１に埋設するように構成されていた。なお、図示していないが、金属箔平板１３には、電気接続のためのリード線が接続されており、このリード線は凹部１１に設けた貫通孔を通して樹脂成形部材１０の内部へ導かれている。
【０００３】
【発明が解決しようとする課題】
しかしながら、前記従来の構成は最初から電極の取り付けを考慮し、凹部１１を設けており、電極の取り付けを容易に行うことが可能である反面、専用の金型を必要とし、電極を必要としない樹脂成形部材との共用ができないためコスト高となっていた。
【０００４】
対策として、金型において電極を設ける部分を入れ子として金型を共用することも可能であるが、この場合は電極を必要としない樹脂成形部材の表面に筋が入ってしまい見栄えが悪くなる等の課題があった。さらに、成形した樹脂部品の表面に溝や段差を後から設ける方法も考えられるが非常に困難で、削りや溶解ではその加工跡が成形品のようにはきれいに仕上がらないという課題を有していた。
【０００５】
また、電極の取り付け面は平面とは限らず、電極を両面テープ等で貼り合わせることは困難であり、接着剤も樹脂成形部材がＰＰ樹脂の場合には十分な接着強度をえることが出来なかった。
【０００６】
さらに、電極である金属箔平板は両面テープや接着剤により凹部に貼り付けており、接着端面の汚れ、端面のはがれなど、コスト面、使用性、耐久性の面で課題を有していた。
【０００７】
本発明は、前記従来の課題を解決するもので、既成の樹脂成型部材に容易に電極を形成することを可能とするものである。
【０００８】
【課題を解決するための手段】
前記従来の課題を解決するために本発明の電極付き便座は、係止部を有する電極と、前記係止部と勘合する勘合部材と、少なくとも前記係止部もしくは勘合部材が挿通可能な貫通孔を有する便座と、前記便座を介して前記電極と相対する面に設けた押さえ部材とからなり、前記係止部と勘合部材により、前記電極と便座と押さえ部材とを積層して固定した構成としたもので、表面に凹部を設けた専用の便座も必要なく、既成の便座を利用し、貫通孔を開けることにより電極端面のはがれがなく、端面の汚れなどのない電極付き便座を得ることが可能となる。
【０００９】
【発明の実施の形態】
請求項１に記載の発明は、表面に突出して電極を配設した便座において、裏面の略中央部に突出した係止部を有する電極と、前記係止部と勘合する勘合部材と、前記係止部もしくは勘合部材の貫通孔を有する便座と、前記便座を介して前記電極と相対する面に設けた押さえ部材とからなり、前記電極は前記便座との当接面の中央部に凹部を設けて電極の外周縁部と便座表面が密接可能な構成とし、前記係止部と勘合部材により、前記電極と便座と押さえ部材とを積層して固定したもので、既成の便座に係止部を通す貫通孔をあけるだけで簡単に電極を取り付けることができる。
【００１０】
請求項２に記載の発明は、特に請求項１に記載の係止部を雄ネジもしくは雌ネジとし、勘合部材をナットもしくはネジとしたもので、既成の便座にネジ部を通す貫通孔をあけるだけで簡単に電極を取り付けることができる。
【００１１】
請求項３に記載の発明は、特に請求項１または２に記載の電極の便座表面との当接面に凹部を設けた構成としたもので、電極の外周縁部と便座表面からの浮きを防止することができる。
【００１２】
請求項４に記載の発明は、電極を金属プレス成形品とすることで、形状を容易に設計できまた表面を凸形状にすることにより体重が加わっても容易に変形しない構成にできるものである。
【００１３】
請求項５に記載の発明は、電極と便座の表面との間に弾性を有するクッション材を配することにより、電極を取り付ける際に電極の端部で便座の表面をキズ付くことを防止し、さらに便座内部への水等の浸入を防止することができる。
【００１４】
【実施例】
以下、本発明の実施例について図面を用いて説明する。
【００１５】
（実施例１）
図１は本発明の実施例１の電極付き樹脂成形ユニットの外観斜視図を示すもので、樹脂成形ユニットの例として、３次元形状の表面をもつ電極付きの便座を示す。図１において１は樹脂成形部材である便座で、表面に複数の電極２が配設されている。また、電極２は図２に示すように加工しやすい金属の鍛造品もしくは切削等による加工品で係止部である雌ねじ４ａを有し、便座１には雌ねじ４ａを通す貫通孔３が開けられており、押さえ部材５とで挟み勘合部材であるネジ６にて締め付けて挟む構成としている。なお、電極を構成する金属として、真鍮にすると加工しやすく、また外周縁にＲをとることにより引っかかりを防止することができる。さらにメッキを施すと見栄えと耐久性を良くすることができる。なお、真鍮の他に鉄にメッキを施すと安価で美しくでき、ステンレスで電極を構成すれば錆がなく耐久性の向上も図れる。
【００１６】
この構成により、樹脂成形部材である便座１には雌ねじ４ａを通す貫通孔３を開けるだけで電極２を取り付けることができ、しかも貫通孔３は電極２より充分小さくできるため貫通孔３を電極２覆い隠すことがでるため、貫通孔３の加工精度はあまり要求されない。従って、表面に従来の様な凹部を設けた専用の樹脂成形部材も必要なく、既成の樹脂成形部材を利用して電極端面のはがれの生じない耐久性の高い電極付き樹脂成形ユニットを安価に得ることができる。このことにより便座に座った人の臀部の皮膚は確実にかつ安全に電極と接触し、体脂肪率測定や電気治療などを行うことができる。また、皮膚接触による電気信号の変化を利用した着座検知を行うセンサー等の電極としても使用できる。
【００１７】
さらに、図２に示すように、電極２の内面の便座１との当接面には凹部７が設けられ、ネジ６にて締め付けて電極２が撓むことにより電極の外周縁部と平面でない樹脂成形部材表面との隙間を詰めて電極の外周縁部と樹脂成形部材表面からの浮きを防止することができる。
【００１８】
（実施例２）
図３は本発明の実施例２の電極の断面図を示すもので、電極２は手では簡単に曲げることはできない厚さ（約１ｍｍ前後）金属板のプレス成形品からなり、係止部である雌ねじ４ａと雄ねじ４ｂを溶接等にて接合している。この雌ねじ４ａと雄ねじ４ｂに勘合部材であるネジ６とナット８にて締め付ける構成としている。このことにより、形状を容易に設計できまた表面を凸形状にすることにより体重が加わっても容易に変形しない構成にでき、美観に優れた電極付き樹脂成形ユニットが得られる。
【００１９】
（実施例３）
図４は本発明の実施例３の電極板の断面図を示すもので、電極２と便座１の表面との間に弾性を有するクッション材９を構成することにより、電極を取り付ける際に電極の端部で樹脂成形部材の表面をキズ付くことを防止でき、さらに樹脂成形部材内部への水等の浸入を防ぐことができる。ここで、弾性を有するクッション材９としては発泡材料を用いると安価に構成することができる。また、クッション材９にはゴム、シリコン等の材料も使用できる。
【００２０】
なお、本実施例においては便座の例で説明をしてきたが、皮膚接触が足裏である場合は足載せ台や体重計などに電極を構成すると同様に実施することができ、皮膚接触が腕であれば肘掛け、手であればグリップやパソコンで使用されるマウスやキーボードなどに電極を構成すると同様に実施することができる。
【００２１】
【発明の効果】
以上のように、請求項１〜５に記載の発明によれば、係止部を有する電極と、前記係止部の貫通孔を有する便座と、前記便座を介して前記電極と相対する面に設けた押さえ部材と、前記係止部と勘合する勘合部材とからなり、前記係止部と勘合部材により、前記電極と便座と押さえ部材とを積層して固定した構成とすることにより、既成の便座には係止部を通す貫通孔を開けるだけで簡単に電極を取り付けることができる。
【図面の簡単な説明】
【図１】  本発明の実施例１の電極付き便座の外観斜視図
【図２】  本発明の実施例１の電極の構成断面図
【図３】  本発明の実施例２の電極の構成断面図
【図４】  本発明の実施例３の電極の構成断面図
【図５】  従来の電極付き便座ユニットの斜視図
【図６】  従来の電極付き便座ユニットの部分断面図
【符号の説明】
１  便座（樹脂成形部材）
２  電極
３  貫通孔
４ａ  雌ネジ（係止部）
４ｂ  雄ネジ（係止部）
５  押さえ部材
６  ネジ（勘合部材）
７  凹部
８  ナット（勘合部材）
９  クッション材
【図１】
0003966001.tif 000002
【図２】
0003966001.tif 000003
【図３】
0003966001.tif 000004
【図４】
0003966001.tif 000005
【図５】
0003966001.tif 000006
【図６】
0003966001.tif 000007